(57)【要約】【課題】カバーを短い距離スライドさせるだけでカバーの脱着が行える電子機器の筐体構造を提供する。【解決手段】筐体本体１の開口部１ｋをスライド自在なカバー２により閉鎖した電子機器の筐体構造であって、開口部１ｋの開口縁に、カバー２のスライド方向に沿って複数の係止爪１ｇ，１ｈ，１ｉ，１ｊを突設すると共に、カバー２の両側縁に、カバー２をスライドさせることにより、係止爪１ｇ，１ｈ，１ｉ，１ｊに順次勘合する複数の切り欠き２ｂ，２ｃ，２ｄを形成したもので、カバー２に形成された切り欠き２ｂ，２ｃ，２ｄの一部を筐体本体１の係止爪１ｇ，１ｈ，１ｉ，１ｊの一部に勘合させた状態でカバー２をスライドさせることにより、係止爪１ｇ，１ｈ，１ｉ，１ｊが順次カバー２の両側縁へ係止されるため、カバー２を短い距離スライドさせるだけでカバー２の脱着が行える。【選択図】  図３
2004233840.tif 000002
【特許請求の範囲】
【請求項１】
筐体本体の開口部をスライド自在なカバーにより閉鎖した電子機器であって、前記開口部の開口縁に、前記カバーのスライド方向に沿って複数の係止爪を突設すると共に、前記カバーの両側縁に、前記カバーをスライドさせることにより、前記係止爪に順次勘合する複数の切り欠きを形成したことを特徴とする電子機器。
【請求項２】
前記複数の切り欠きの一部を、他の切り欠きより前記カバーのスライド方向に沿って長く形成してなる請求項１に記載の電子機器。
【発明の詳細な説明】
【０００１】
【発明の属する技術分野】
本発明は光通信等に使用する電子機器に関する。
【０００２】
【従来の技術】
従来光ファイバを使用して映像等の情報を伝送する映像送信装置や光波長多重伝送装置等の電子機器には、筐体内に光ファイバの余長部等を収容する光ファイバ収納部を設けたものがある（例えば特許文献１）。
【０００３】
【特許文献１】
特開２００１−１１９１６２号公報（段落番号００２７）
【０００４】
前記特許文献１に記載された電子機器は、図１０に示すように上面が開口した偏平な筐体本体２１を有していて、開口部２２の周辺部には、側板２３及び端板２４の上縁を内側へほぼ直角に折り曲げることにより開口縁部２５，２６が形成されている。
【０００５】
また開口縁部２５，２６のうち、長辺側の開口縁２５の両方と、短辺側の開口縁２６の一方には、開口縁２５，２６の一部をほぼ逆Ｌ字形に切り起すことにより複数の係止爪２７が形成されていて、これら係止爪２７の先端と開口縁２５，２６の上面間には、開口部２２を覆うカバー２８の板厚よりやや大きい隙間が形成されており、係止爪２７が形成されていない開口縁２６側からカバー２８の一端側をこれら隙間の間へ挿入し、カバー２８を図１０の矢印２９方向へスライドさせることにより、筐体本体２１の開口部２２をカバー２８により閉鎖できるように構成されている。
【０００６】
また別の電子機器としては、図１１に示すように筐体本体２１の開口部２２に、側板２３の上縁を内側へ折り曲げることにより開口縁部２５を形成し、これら開口縁部２５の一部をほぼ逆Ｌ字形に切り起すことにより係止爪２７を形成したものが公知である。
【０００７】
図１１に示す電子機器の場合、カバー２８は弾性を有する薄板により形成されていて、筐体本体２１の上面開口部２２をカバー２８で覆う場合、カバー２８を弓形に湾曲させた状態でカバー２８の両側縁を係止爪２７の先端と開口縁２５の上面間に挿入したら、カバー２８を自己の弾性により元の平板に戻すことにより、開口部２２を閉鎖するように構成されている。
【０００８】
【発明が解決しようとする課題】
しかし図１０示す従来の電子機器では、筐体本体２１のほぼ全長と同じ距離カバー２８をスライドさせて、カバー２８の脱着を行う必要があるため、脱着作業に時間がかかって作業能率が悪い上、筐体本体２１の前後にカバー２８をスライドさせるスペースがない場合、カバー２８が脱着できない等の問題がある。
【０００９】
また図１１に示す電子機器では、カバー２８を弓形に湾曲させたり平板に戻したりして、カバー２８の脱着作業を行わなければならないため、脱着作業が面倒でやりにくく、また、カバー２８を弾性変形自在な薄板により形成しなければならないため、誤ってカバー２８上に工具等を落した場合、筐体本体２１内に収容された光ファイバ等の部品が損傷することがあり、カバーとしての機能が劣る等の問題がある。
【００１０】
本発明はかかる従来の問題を改善するためになされたもので、カバーを短い距離スライドさせるだけでカバーの脱着が行える電子機器を提供して、作業性の向上を図ることを目的とするものである。
【００１１】
【課題を解決するための手段】
前記目的を達成するため本発明の電子機器は、筐体本体の開口部をスライド自在なカバーにより閉鎖した電子機器であって、開口部の開口縁に、カバーのスライド方向に沿って複数の係止爪を突設すると共に、カバーの両側縁に、カバーをスライドさせることにより、係止爪に順次勘合する複数の切り欠きを形成したものである。
【００１２】
前記構成により、筐体本体の開口部にカバーを脱着する際、カバーに形成された切り欠きの一部を筐体本体の係止爪の一部に勘合させた状態でカバーをスライドさせることにより、係止爪が順次カバーの両側縁へ係止されるため、従来のカバーのほぼ全長分をスライドさせてカバーを脱着するものに比べて作業性が格段に向上すると共に、筐体本体の前後にスペースがない場合でも、カバーの脱着が容易に行えるようになる。
【００１３】
またカバーを湾曲させて係止爪の間に挿入する必要がないため、剛性のある板材によりカバーを形成することができるようになり、これによって電子機器の設置中や、点検整備の際誤って工具等をカバー上に落下させても、筐体内に収容された部品が損傷される虞もない。
【００１４】
前記目的を達成するため本発明の電子機器は、複数の切り欠きの一部を、他の切り欠きよりカバーのスライド方向に沿って長く形成したものである。
【００１５】
前記構成により、複数の係止爪と複数の切り欠きを同時に勘合させる際、両者間に寸法誤差があっても係止爪と切り欠きを確実に勘合させることができる。
【００１６】
【発明の実施の形態】
本発明の実施の形態を、図面を参照して詳述する。
【００１７】
はじめに図１ないし図４に示す第１の実施の形態を説明すると、映像伝送装置や光波長多重伝送装置等の電子機器に使用する筐体本体１は、上面が開口する偏平な箱形に形成されていて、内部に光ファイバ（図示せず）の余長部が収納できるようになっており、金属板をプレス成形することにより全体が一体形成されている。
【００１８】
筐体本体１は、長方形状に形成された底板１ａの長辺側の両側に側板１ｂが、そして短辺側の端部に端板１ｃが設けられていて、一方の側板１ｂや端板１ｃに配線のための切り欠き１ｄ，１ｅが形成されている。
【００１９】
また各側板１ｂの上縁の一部は、内側へほぼ直角に折り曲げられて、開口縁１ｆが長手方向に複数個所形成されている。
【００２０】
これら開口縁１ｆは、長さの長いものと、長さの短いものにより構成されていて、両側板１ｂの上縁を切り起すことにより複数の係止爪１ｇ，１ｈ，１ｉ，１ｊが開口部１ｋを挟んで対向し、かつ各開口縁１ｆに隣接するように形成されており、これら係止爪１ｇないし１ｊの先端と開口縁１ｆの上面間に、開口部１ｋを覆うカバー２の板厚よりやや大きい隙間が形成されている。
【００２１】
隣接する係止爪１ｇと１ｈ及び係止爪１ｉと１ｊは互いに対になっていて、各対の係止爪１ｇ，１ｈ及び１ｉ，１ｊの間隔はほぼ同一となっていると共に、両側板１ｂの上縁の一部には、開口縁１ｆの上面より高いガイド片１ｍが上方へ突設されていて、これらガイド片１ｍにカバー２の両側縁を摺接させることにより、カバー２のスライドをガイドするようになっている。
【００２２】
一方カバー２は剛性のある金属板により形成されていて、筐体本体１の長さよりやや短く、また幅はほぼ同じとなっていて、一端側の角部には２個の取り付け孔２ａが穿設されており、これら取り付け孔２ａは、筐体本体１の開口部１ｋを閉鎖するセット位置Ｂ（図４に示す状態）にカバー２をスライドさせたときに、筐体本体１の端板１ｃ側角部に形成されたねじ孔１ｎと勘合するようになっている。
【００２３】
カバー２の両側縁には、複数の切り欠き２ｂ，２ｃ，２ｄとストッパ２ｅが形成されている。
【００２４】
これら切り欠き２ｂないし２ｄのうち、切り欠き２ｂ，２ｃは、図２に示すように、カバー２の取り付け孔２ａ側端部を筐体本体１の端板１ｃ側よりスライド距離Ｌだけ突出させたカバー脱着位置Ａのときに、端板１ｃ側の一対の係止爪１ｇ，１ｈと勘合するように形成されている。
【００２５】
切り欠き２ｄは、切り欠き２ｂ，２ｃよりカバー２の長手方向長さが長く形成されていて、切り欠き２ｂ，２ｃが係止爪１ｇ，１ｈに勘合した状態のときに切り欠き２ｄが係止爪１ｉと勘合するようになっており、このときカバー２の取り付け孔２ａと反対側の端部は係止爪１ｊに到達しないようになっている。
【００２６】
次に前記構成された第１の実施の形態になる筐体構造の作用を説明する。
【００２７】
電子機器を設置した際に配線された光ファイバの余長部は、電子機器の設置後筐体本体１内に収納し、カバー２により筐体本体１の開口部１ｋを閉鎖するが、開口部１ｋをカバー２により閉鎖するに当っては、まず図１に示すようにカバー２の切り欠き２ｂ，２ｃと筐体本体１の係止爪１ｇ，１ｈを位置合せした状態で図２に示すように開口部１ｋの一部をカバー２により覆うが、このカバー脱着位置Ａでは、カバー２の一端側が筐体本体１の端面よりスライド距離Ｌだけ外側へ突出されており、またカバー２の長さが長い切り欠き２ｄは係止爪１ｉと勘合している。
【００２８】
次にこの状態でカバー２の両側縁を筐体本体１の上縁に突設されたガイド片１ｍにガイドさせながら、図３の矢印Ｃ方向へカバー２をスライド距離Ｌだけスライドさせると、カバー２の両側縁に突設されたストッパ２ｅが係止爪１ｈに当接してカバー２は図４に示すセット位置Ｂに停止される。
【００２９】
これによってカバー２の一端側に穿設された取り付け孔２ａが筐体本体１側のねじ孔１ｎに勘合すると共に、各係止爪１ｇないし１ｊの先端によりカバー２の両側縁が係止されるので、この状態でカバー２の取り付け孔２ａに挿入したビス等の固着具３をねじ孔１ｎへ螺挿することにより、筐体本体１の開口部１ｋをカバー２により閉鎖することができる。
【００３０】
また筐体本体１よりカバー２を取り外すときには、前記取り付け時と逆の操作を行えばよく、何れの場合もカバー２をスライド距離Ｌだけスライドさせるだけでカバー２の脱着が行えるため、従来のカバーのほぼ全長分をスライドさせてカバーを脱着するものに比べて作業性が格段に向上すると共に、筐体本体１の前後にスペースがない場合でも、カバー２の脱着が容易に行える。
【００３１】
一方図５ないし図９は第２の実施の形態を示すもので、次にこれを説明する。
【００３２】
なお前記第１の実施の形態と同一部分は同一符号を付して、その説明は省略する。
【００３３】
筐体本体１の各側板１ｂの上縁は、内側へほぼ直角に折り曲げられて、開口縁１ｆが形成されており、開口縁１ｆの一部には、両側板１ｂの上縁を切り起すことにより複数対の係止爪１ｏ，１ｐ，１ｑ，１ｒが互に対向し、かつ両側板１ｂの長手方向にほぼ等間隔に形成されていて、これら係止爪１ｏないし１ｒの先端と開口縁１ｆの上面間に、開口部１ｋを覆うカバー２の板厚よりやや大きい隙間が形成されている。
【００３４】
またカバー２は剛性のある金属板により筐体本体１の長さとほぼ同じ長さに形成されていて、一端側の角部には一対の取り付け孔２ａが、そして他端側のほぼ中央には１個の取り付け孔２ａが穿設されており、これら取り付け孔２ａは、筐体本体１の開口部１ｋを閉鎖するセット位置Ｂ（図９に示す状態）にカバー２をスライドさせたときに、筐体本体１の両端側に形成されたねじ孔１ｎと勘合するようになっている。
【００３５】
カバー２の両側縁には、ほぼ台形をなす複数の切り欠き２ｆ，２ｇ，２ｈ、２ｉが互いに対向し、かつ長手方向に間隔を存して形成されている。
【００３６】
これら切り欠き２ｆないし２ｉの長手方向の間隔は、各係止爪１ｏないし１ｒの長手方向の間隔より狭くなっていて、カバー２の一端側を筐体本体１の端部よりスライド距離Ｌだけ突出させたカバー脱着位置Ａのときに、図５に示すようにカバー２の他端側にもっとも近い切り欠き２ｉのみが係止爪１ｒに勘合し、その他の係止爪１ｏ，１ｐ，１ｑと切り欠き２ｆ，２ｇ，２ｈは勘合しないように位置が設定されている。
【００３７】
次に前記構成された第２の実施の形態になる電子機器の作用を説明する。
【００３８】
電子機器を設置した際に配線された光ファイバの余長部は、電子機器の設置後筐体本体１内に収納し、カバー２により筐体本体１の開口部１ｋを閉鎖するが、開口部１ｋをカバー２により閉鎖するに当っては、まずカバー２の切り欠き２ｉと筐体本体１の係止爪１ｒを位置合せした状態で、図５に示すように開口部１ｋの一部をカバー２により覆うが、このカバー脱着位置Ａでは、カバー２の一端側が筐体本体１の端面よりスライド距離Ｌだけ外側へ突出されており、またカバー２の切り欠き２ｆ，２ｇ，２ｈと係止爪１ｏ，１ｐ，１ｑとが勘合しない部分は、係止爪１ｏ，１ｐ，１ｑ上にカバー２が乗り上げた状態にある。
【００３９】
次にこの状態でカバー２を図６の矢印Ｄ方向へスライドさせると、係止爪１ｒがカバー２の両縁部に係合し、切り欠き２ｈが係止爪１ｑに勘合すると共に、カバー２をさらに矢印Ｄ方向へスライドさせると、図７に示すように係止爪１ｒ，１ｑがカバー２の両縁部に係合し、切り欠き２ｇが係止爪１ｐに勘合する。
【００４０】
その後さらにカバー２を矢印Ｄ方向へスライドさせると、図８に示すように係止爪１ｒ，１ｑ，１ｐがカバー２の両縁部に係合し、切り欠き２ｆが係止爪１ｏに勘合するので、最後にカバー２の先端が端板２ｂの上縁に突設されたストッパ２ｓ当接するまで押し込むと、カバー２はセット位置Ｂに停止される。
【００４１】
これによってカバー２の両端側に穿設された取り付け孔２ａが筐体本体１側のねじ孔１ｎに勘合すると共に、図９に示すように各係止爪１ｏ，１ｐ，１ｑ，１ｒの先端によりカバー２の両側縁が係止されるので、この状態でカバー２の取り付け孔２ａに挿入したビス等の固着具３をねじ孔１ｎへ螺挿することにより、筐体本体１の開口部１ｋをカバー２により閉鎖することができる。
【００４２】
また筐体本体１よりカバー２を取り外すときには、前記取り付け時と逆の操作を行えばよく、何れの場合もカバー２をスライド距離Ｌだけスライドさせるだけでカバー２の脱着が行えるため、前記第１の実施の形態と同様に作業性が格段に向上すると共に、筐体本体１の前後にスペースがない場合でも、カバー２の脱着が容易に行える。
【００４３】
【発明の効果】
本発明は以上詳述したように、筐体本体に設けられた開口部の開口縁に、カバーのスライド方向に沿って複数の係止爪を突設すると共に、カバーの両側縁に、カバーをスライドさせることにより、係止爪に順次勘合する複数の切り欠きを形成したことから、筐体本体の開口部にカバーを脱着する際、カバーに形成された切り欠きの一部を筐体本体の係止爪の一部に勘合させた状態でカバーをスライドさせることにより、係止爪が順次カバーの両側縁へ係止されるため、従来のカバーのほぼ全長分をスライドさせてカバーを脱着するものに比べて作業性が格段に向上すると共に、筐体本体の前後にスペースがない場合でも、カバーの脱着が容易に行えるようになる。
【００４４】
またカバーを湾曲させて係止爪の間に挿入する必要がないため、剛性のある板材によりカバーを形成することができるようになり、これによって電子機器の設置中や、点検整備の際誤って工具等をカバー上に落下させても、筐体内に収容された部品が損傷される虞もない。
【図面の簡単な説明】
【図１】本発明の第１の実施の形態になる電子機器の筐体構造を示す分解斜視図
【図２】本発明の第１の実施の形態になる電子機器の筐体構造の作用説明図
【図３】本発明の第１の実施の形態になる電子機器の筐体構造の作用説明図
【図４】本発明の第１の実施の形態になる電子機器の筐体構造の作用説明図
【図５】本発明の第２の実施の形態になる電子機器の筐体構造を示す分解斜視図
【図６】本発明の第２の実施の形態になる電子機器の筐体構造の作用説明図
【図７】本発明の第２の実施の形態になる電子機器の筐体構造の作用説明図
【図８】本発明の第２の実施の形態になる電子機器の筐体構造の作用説明図
【図９】本発明の第２の実施の形態になる電子機器の筐体構造の作用説明図
【図１０】従来の電子機器の筐体構造を示す説明図
【図１１】従来の電子機器の筐体構造を示す説明図
【符号の説明】
１      筐体本体
１ｇ    係止爪
１ｈ    係止爪
１ｉ    係止爪
１ｊ    係止爪
１ｋ    開口部
２      カバー
２ｂ    切り欠き
２ｃ    切り欠き
２ｄ    切り欠き
【図１】
2004233840.tif 000003
【図２】
2004233840.tif 000004
【図３】
2004233840.tif 000005
【図４】
2004233840.tif 000006
【図５】
2004233840.tif 000007
【図６】
2004233840.tif 000008
【図７】
2004233840.tif 000009
【図８】
2004233840.tif 000010
【図９】
2004233840.tif 000011
【図１０】
2004233840.tif 000012
【図１１】
2004233840.tif 000013